(57)【要約】【課題】アンテナベース３０にアンテナエレメント３６の基端部３８を揺動自在に組み付け箇所を、簡単に交換できるカバー４６で覆い、また一対のアーム３４と基端部３８の間の隙間をカバー４６で覆うアンテナ装置を提供する。【解決手段】アンテナベース３０に立設した一対のアーム３４間にアンテナエレメント３６の基端部３８を挿入配設し、揺動軸４０を挿入してアンテナエレメント３６を揺動自在とする。一対のアーム３４の両側方およびアンテナベース３０の上面側を覆いアンテナエレメント３６を挿通および揺動し得る孔および溝４８を形成したカバー４６を、アンテナエレメント３６が突出して揺動自在にアンテナベース３０に固定する。アンテナエレメント３６の基端部３８の幅を孔および溝４８を挿通する他の部分よりも大きくし、カバー４６の孔および溝４８の幅を基端部３８の幅よりも小さく設定し、隙間をカバー４６で覆う。【選択図】図５
2004200992.tif 000002
【特許請求の範囲】
【請求項１】
アンテナベースに一対のアームを立設し、前記一対のアーム間にロッド状のアンテナエレメントの基端部を挿入配設し、一方の前記アームの側方より前記一対のアームおよび前記基端部に揺動軸を挿入配設して前記アンテナエレメントを揺動自在となし、前記一対のアームの両側方および前記アンテナベースの前記一対のアームが立設された側を覆うとともに前記アンテナエレメントを挿通および揺動し得る孔および溝を形成したカバーを、前記アンテナエレメントが前記孔を挿通突出して揺動自在で前記アンテナベースに固定するように構成したことを特徴とするアンテナ装置。
【請求項２】
請求項１記載のアンテナ装置において、前記アンテナエレメントを、前記基端部の幅が前記孔および溝を挿通する部分よりも大きくなるようにし、前記カバーの孔および溝の幅を前記基端部の幅よりも小さく設定して構成したことを特徴とする前記アンテナ装置。
【請求項３】
請求項１または２記載のアンテナ装置において、前記アンテナベースに係合凹部を設け、前記カバーに前記係合凹部に弾性変形して係合し得る係合爪を設け、前記係合凹部に前記係合爪を係合させて、前記カバーを前記アンテナベースに固定するように構成したことを特徴とするアンテナ装置。
【請求項４】
請求項１または２記載のアンテナ装置において、前記アンテナベースに、前記一対のアームを立設した側から、前記カバーを貫通するネジを螺合挿入して、前記カバーを前記アンテナベースに固定するように構成したことを特徴とするアンテナ装置。
【発明の詳細な説明】
【０００１】
【発明の属する技術分野】
本発明は、アンテナベースにアンテナエレメントの基端部を揺動自在に配設するアンテナ装置に関するものである。
【０００２】
【従来の技術】
図８は、アンテナベースにアンテナエレメントの基端部を揺動自在に組み付けた従来例の一部切り欠き縦断面図である。この従来例にあっては、アンテナベース１０に一対のアーム１２，１２が形成され、このアーム１２，１２の間にアンテナエレメント１４の基端部１６が挿入配設され、一対のアーム１２，１２および基端部１６に揺動軸１８を挿通配設して、アンテナベース１０にアンテナエレメント１４が揺動自在に配設される。そして、アーム１２，１２の両側方から、揺動軸１８の挿入部を覆うようにキャップ２０，２０が配設される。なお、図８で、アンテナエレメント１４のアンテナ出力をアンテナベース１０内を介して適宜に図示しない受信機等に導出する技術、およびアンテナエレメント１４をアンテナベース１０に対して所定の姿勢で維持する機構の説明は省かれている。
【０００３】
【発明が解決しようとする課題】
上記の従来例の構造では、一対のアーム１２，１２と基端部１６の間に隙間が生ずる。これは、一対のアーム１２，１２間に基端部１６を挿入するには、一対のアーム１２，１２間の寸法よりも基端部１６の幅が小さくなければならない。そして、これらの部品の寸法にバラツキがあるほど、製品の歩止まりを少なくするために、その隙間を大きく設定しなければならない。この結果、隙間が大きなものとなる。また、この隙間を小さくして、かつ製品の歩止まりを少なくするためには、これらの部品の寸法精度を良くすれば良いが、これは製造がそれだけ難しいものとなって高価なものとなり、量産に適していない。
【０００４】
また、例えば、アンテナ装置を車載用としてルーフなどに固定する場合に、車の形状や色に応じて、アンテナベース１０の形状や色も変更できれば、デザイン的に優れたものとなり得る。しかし、上記従来例では、アンテナベース１０にアンテナエレメント１４が組み付けられており、アンテナベース１０自体の形状や色などを簡単には変更できない。
【０００５】
本発明は、上述のごとき従来例の事情に鑑みてなされたもので、アンテナベースにアンテナエレメントの基端部を揺動自在に配設する組み付け部を、簡単に交換できるカバーで覆うようにしたアンテナ装置を提供することにある。また、一対のアームと基端部の間の隙間をカバーで覆えるようにしたアンテナ装置を提供することにある。
【０００６】
【課題を解決するための手段】
かかる目的を達成するために、本発明のアンテナ装置は、アンテナベースに一対のアームを立設し、前記一対のアーム間にロッド状のアンテナエレメントの基端部を挿入配設し、一方の前記アームの側方より前記一対のアームおよび前記基端部に揺動軸を挿入配設して前記アンテナエレメントを揺動自在となし、前記一対のアームの両側方および前記アンテナベースの前記一対のアームが立設された側を覆うとともに前記アンテナエレメントを挿通および揺動し得る孔および溝を形成したカバーを、前記アンテナエレメントが前記孔を挿通突出して揺動自在で前記アンテナベースに固定するように構成されている。
【０００７】
そして、前記アンテナエレメントを、前記基端部の幅が前記孔および溝を挿通する部分よりも大きくなるようにし、前記カバーの孔および溝の幅を前記基端部の幅よりも小さく設定して構成しても良い。
【０００８】
【発明の実施の形態】
以下、本発明の一実施例を図１ないし図７を参照して説明する。図１は、本発明のアンテナ装置の一実施例の外観図であり、（ａ）は平面図、（ｂ）は正面図である。図２は、図１のカバーの外観図であり、（ａ）は平面図、（ｂ）は正面図、（ｃ）は右側面図、（ｄ）は（ａ）のＡ−Ａ矢視断面図、（ｅ）は（ｂ）のＢ−Ｂ矢視断面図、（ｆ）は（ｅ）に示される係合爪の拡大断面図である。図３は、カバーを除き、アンテナベースにアンテナエレメントの基端部を組み付けた状態の図１でＣ矢視拡大図である。図４は、カバーを除き、アンテナベースにアンテナエレメントの基端部を組み付けた状態の図１でＤ矢視拡大図である。図５は、図１（ｂ）のＥ−Ｅ矢視拡大縦断面図である。図６は、図１（ａ）のＦ−Ｆ矢視拡大縦断面図である。図７は、アンテナベースの係合凹部とカバーの係合爪の係合状態を示す一部切り欠き拡大縦断面図である。なお、図３ないし図６において、アンテナエレメントは垂直な姿勢として図示されている。
【０００９】
図において、アンテナベース３０には、下方に突出させて取付ネジ３２が設けられ、車のルーフなどに穿設される取付孔に挿入され、内側に突出した取付ネジ３２に車の内側から取付ナットを螺合固定することで、アンテナベース３０が車のルーフなどに固定される。そして、アンテナベース３０には上方に向けて一対のアーム３４，３４が立設される。そして、この一対のアーム３４，３４の間にアンテナエレメント３６の基端部３８が挿入配設され、一対のアーム３４，３４および基端部３８に揺動軸４０を挿通配設して、アンテナベース３０にアンテナエレメント３６が揺動自在に配設される。なお、アンテナベース３０の両側に係合凹部４２，４２が設けられる。そして、アンテナベース３０に、上方からネジを螺入させ得るネジ孔またはタッピング孔４４が設けられる。また、アンテナエレメント３６は、基端部３８の幅が他の部分の幅よりも大きく設定されている。
【００１０】
そして、カバー４６により、アーム３４，３４の両側方およびアンテナベース３０の上面側（一対のアーム３４，３４が立設された側）を覆うようにして、カバー４６がアンテナベース３０に固定される。カバー４６には、アンテナエレメント３６が挿通配設して揺動自在となるように孔および溝４８が形成される。また、アンテナベース３０の係合凹部４２，４２に臨んで、弾性変形して係合できる係合爪５０，５０が設けられる。また、アンテナベース３０のネジ孔またはタッピング孔４４に臨んで、ネジが挿通し得るネジ挿通孔５２が穿設されている。なお、カバー４６の孔および溝４８の幅は、アンテナエレメント３６の基端部３８の幅よりも小さく設定される。カバー４６の孔および溝４８の幅は、この孔および溝４８を挿通突出する部分のアンテナエレメント３６の幅よりも大きいことは当然である。
【００１１】
かかる構成において、アンテナベース３０にアンテナエレメント３６の基端部３８を揺動軸４０により、揺動自在に配設した状態で、孔および溝４８にアンテナエレメント３６を挿通させて、上方からカバー４６をアンテナベース３０に組み付ける。そして、まずカバー４６の係合爪５０，５０をアンテナベース３０の係合凹部４２，４２に係合させる。さらに、なべ小ネジ５４などをカバー４６のネジ挿通孔５２に挿通して、アンテナベース３０のネジ孔またはタッピング孔４４に螺合挿入し、アンテナベース３０にカバー４６を固定する。なお、図１および図５ないし図７において、５６は、アンテナベース３０と軸ルーフ間に介装するゴムパッキンである。
【００１２】
かかる構成の本発明のアンテナ装置にあっては、アンテナベース３０とアンテナエレメント３６の組み付けを変更することなく、これを覆うカバー４６を簡単に変更することができる。そこで、このカバー４６を変更することで、容易に形状や色などを変更することができる。また、一対のアーム３４，３４とアンテナエレメント３６の基端部３８との間の隙間を、カバー４６によって覆うことができ、それだけ外観に優れたものとなる。しかも、隙間をカバー４６で覆うことができるので、隙間が大きくても良く、その分だけ部品の寸法精度が要求されず、安価に製造することができる。
【００１３】
なお、本発明の説明において、アンテナエレメント３６のアンテナ出力を導出する技術、およびアンテナエレメント３６をアンテナベース３０に対して所定の姿勢に保持する機構は省略されているが、従来と同様の技術を用いることは勿論である。
【００１４】
また、上記本発明の実施例で、カバー４６をアンテナベース３０に固定する技術は、いかなるものであっても良いことは容易に理解されるであろう。
【００１５】
【発明の効果】
以上説明したように本発明の一実施例は構成されているので、以下のごとき格別な効果を奏する。
【００１６】
請求項１記載のアンテナ装置にあっては、アンテナベースにアンテナエレメントの基端部を揺動自在に組み付け配設する箇所およびアンテナベースの上面側を、これらとは別の部品として設けられるカバーで覆うとともにアンテナベースに固定するので、カバーを交換することで、簡単に本発明のアンテナ装置の形状や色などを変更することが可能である。
【００１７】
請求項２記載のアンテナ装置にあっては、一対のアームとこれに挿入配設されるアンテナエレメントの基端部との間の隙間を、カバーによって覆うことができる。そこで、一対のアームの間の寸法およびアンテナエレメントの基端部の幅の寸法に、精度が要求されない。もって、これらの部品を安価に製造でき、量産に好適である。
【００１８】
請求項３および請求項４記載のアンテナ装置にあっては、カバーをアンテナベースに固定する構造が簡単であり、取り付け作業が容易である。
【図面の簡単な説明】
【図１】本発明のアンテナ装置の一実施例の外観図であり、（ａ）は平面図、（ｂ）は正面図である。
【図２】図１のカバーの外観図であり、（ａ）は平面図、（ｂ）は正面図、（ｃ）は右側面図、（ｄ）は（ａ）のＡ−Ａ矢視断面図、（ｅ）は（ｂ）のＢ−Ｂ矢視断面図、（ｆ）は（ｅ）に示される係合爪の拡大断面図である。
【図３】カバーを除き、アンテナベースにアンテナエレメントの基端部を組み付けた状態の図１でＣ矢視拡大図である。
【図４】カバーを除き、アンテナベースにアンテナエレメントの基端部を組み付けた状態の図１でＤ矢視拡大図である。
【図５】図１（ｂ）のＥ−Ｅ矢視拡大縦断面図である。
【図６】図１（ａ）のＦ−Ｆ矢視拡大縦断面図である。
【図７】アンテナベースの係合凹部とカバーの係合爪の係合状態を示す一部切り欠き拡大縦断面図である。
【図８】アンテナベースにアンテナエレメントの基端部を揺動自在に組み付けた従来例の一部切り欠き縦断面図である。
【符号の説明】
１０，３０  アンテナベース
１２，３４  アーム
１４，３６  アンテナエレメント
１６，３８  基端部
１８，４０  揺動軸
３２  取付ネジ
４２  係合凹部
４４  ネジ孔またはタッピング孔
４６  カバー
４８  孔および溝
５０  係合爪
５２  ネジ挿通孔
５４  なべ小ネジ
５６  ゴムパッキン
【図１】
2004200992.tif 000003
【図２】
2004200992.tif 000004
【図３】
2004200992.tif 000005
【図４】
2004200992.tif 000006
【図５】
2004200992.tif 000007
【図６】
2004200992.tif 000008
【図７】
2004200992.tif 000009
【図８】
2004200992.tif 000010